(57)【要約】      （修正有）【課題】３２０ＭＨｚの帯域幅を使用して通信することができる通信装置が、適切なフレーム構成によってＲｅｓｏｕｒｃｅ  Ｕｎｉｔ（ＲＵ）の割り当てに関する情報を通信できるようにする。【解決手段】通信装置が帯域幅として３２０ＭＨｚの帯域幅を使用する場合にＮ＝８となる、Ｎ×８ビットのビット数を有するＲＵ  Ａｌｌｏｃａｔｉｏｎサブフィールドを含むＥＨＴ−ＳＩＧ−Ｂを含むＥＨＴ  ＭＵ（Ｍｕｌｔｉ  Ｕｓｅｒ）、ＰＰＤＵ（Ｐｈｙｓｉｃａｌ  Ｌａｙｅｒ  Ｐｒｏｔｏｃｏｌ  Ｄａｔａ  Ｕｎｉｔ）を通信する。【選択図】図３
2020141327.tif 000002
【特許請求の範囲】
【請求項１】
通信装置であって、
Ｌ−ＳＴＦ（Ｌｅｇａｃｙ−Ｓｈｏｒｔ  Ｔｒａｉｎｉｎｇ  Ｆｉｅｌｄ）と、
前記Ｌ−ＳＴＦの後のＬ−ＬＴＦ（Ｌｅｇａｃｙ−Ｌｏｎｇ  Ｔｒａｉｎｉｎｇ  Ｆｉｅｌｄ）と、
前記Ｌ−ＬＴＦの後のＬ−ＳＩＧ（Ｌｅｇａｃｙ−Ｓｉｇｎａｌ）と、
前記Ｌ−ＳＩＧの後のＥＨＴ−ＳＩＧ−Ａ（Ｅｘｔｒｅｍｅｌｙ  Ｈｉｇｈ  Ｔｈｒｏｕｇｈｐｕｔ−Ｓｉｇｎａｌ−Ａ）と、
前記ＥＨＴ−ＳＩＧ−Ａの後のフィールドであって、
前記通信装置が帯域幅として３２０ＭＨｚの帯域幅を使用する場合にＮ＝８となる、Ｎ×８ビットのビット数を有するＲＵ（Ｒｅｓｏｕｒｃｅ  Ｕｎｉｔ）  Ａｌｌｏｃａｔｉｏｎサブフィールドを含むＥＨＴ−ＳＩＧ−Ｂ（Ｅｘｔｒｅｍｅｌｙ  Ｈｉｇｈ  Ｔｈｒｏｕｇｈｐｕｔ−Ｓｉｇｎａｌ−Ｂ）と、
前記ＥＨＴ−ＳＩＧ−Ｂの後のＥＨＴ−ＳＴＦ（Ｅｘｔｒｅｍｅｌｙ  Ｈｉｇｈ  Ｔｈｒｏｕｇｈｐｕｔ−Ｓｈｏｒｔ  Ｔｒａｉｎｉｎｇ  Ｆｉｅｌｄ）と、
前記ＥＨＴ−ＳＴＦの後のＥＨＴ−ＬＴＦ（Ｅｘｔｒｅｍｅｌｙ  Ｈｉｇｈ  Ｔｈｒｏｕｇｈｐｕｔ−Ｌｏｎｇ  Ｔｒａｉｎｉｎｇ  Ｆｉｅｌｄ）と、を含むＥＨＴ  ＭＵ（Ｍｕｌｔｉ  Ｕｓｅｒ）  ＰＰＤＵ（Ｐｈｙｓｉｃａｌ  Ｌａｙｅｒ  Ｐｒｏｔｏｃｏｌ  Ｄａｔａ  Ｕｎｉｔ）を送信する送信手段を有することを特徴とする通信装置。
【請求項２】
前記送信手段は、前記ＥＨＴ  ＭＵ  ＰＰＤＵの送信に用いられるアンテナを含むことを特徴とする請求項１に記載の通信装置。
【請求項３】
前記送信手段は、前記通信装置がＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）通信とＭＵ−ＭＩＭＯ（Ｍｕｌｔｉ  Ｕｓｅｒ  Ｍｕｌｔｉｐｌｅ−Ｉｎｐｕｔ  ａｎｄ  Ｍｕｌｔｉｐｌｅ−Ｏｕｔｐｕｔ）通信との少なくとも一つを実行する場合に、前記ＥＨＴ  ＭＵ  ＰＰＤＵを送信することを特徴とする請求項１または２に記載の通信装置。
【請求項４】
前記送信手段は、前記ＥＨＴ  ＭＵ  ＰＰＤＵと異なるＰＰＤＵを送信する場合、前記ＥＨＴ−ＳＩＧ−Ｂを含まないＰＰＤＵを送信することを特徴とする請求項１から３の何れか一項に記載の通信装置。
【請求項５】
前記送信手段は、ＩＥＥＥ８０２．１１ＥＨＴ規格に準拠した前記ＥＨＴ  ＭＵ  ＰＰＤＵを送信することを特徴とする請求項１から４の何れか一項に記載の通信装置。
【請求項６】
前記通信装置が帯域幅として１６０ＭＨｚの帯域幅を２つ使用する場合、Ｎ＝８となることを特徴とする請求項１から５の何れか一項に記載の通信装置。
【請求項７】
前記通信装置が帯域幅として２０ＭＨｚの帯域幅、あるいは４０ＭＨｚの帯域幅を使用する場合、Ｎ＝１となることを特徴とする請求項１から６の何れか一項に記載の通信装置。
【請求項８】
前記通信装置が帯域幅として８０ＭＨｚの帯域幅を使用する場合、Ｎ＝２となることを特徴とする請求項１から７の何れか一項に記載の通信装置。
【請求項９】
前記通信装置が帯域幅として１６０ＭＨｚの帯域幅、あるいは８０ＭＨｚの帯域幅を２つ使用する場合、Ｎ＝４となることを特徴とする請求項１から８の何れか一項に記載の通信装置。
【請求項１０】
通信装置であって、
Ｌ−ＳＴＦと、
前記Ｌ−ＳＴＦの後のＬ−ＬＴＦと、
前記Ｌ−ＬＴＦの後のＬ−ＳＩＧと、
前記Ｌ−ＳＩＧの後のＥＨＴ−ＳＩＧ−Ａと、
前記ＥＨＴ−ＳＩＧ−Ａの後のフィールドであって、
他の通信装置が帯域幅として３２０ＭＨｚの帯域幅を使用する場合にＮ＝８となる、Ｎ×８ビットのビット数を有するＲＵ  Ａｌｌｏｃａｔｉｏｎサブフィールドを含むＥＨＴ−ＳＩＧ−Ｂと、
前記ＥＨＴ−ＳＩＧ−Ｂの後のＥＨＴ−ＳＴＦと、
前記ＥＨＴ−ＳＴＦの後のＥＨＴ−ＬＴＦと、を含むＥＨＴ  ＭＵ  ＰＰＤＵを前記他の通信装置から受信する受信手段を有することを特徴とする通信装置。
【請求項１１】
前記受信手段は、前記ＥＨＴ  ＭＵ  ＰＰＤＵの受信に用いられるアンテナを含むことを特徴とする請求項１０に記載の通信装置。
【請求項１２】
前記受信手段は、前記他の通信装置がＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）通信とＭＵ−ＭＩＭＯ（Ｍｕｌｔｉ  Ｕｓｅｒ  Ｍｕｌｔｉｐｌｅ−Ｉｎｐｕｔ  ａｎｄ  Ｍｕｌｔｉｐｌｅ−Ｏｕｔｐｕｔ）通信との少なくとも一つを実行する場合に、前記ＥＨＴ  ＭＵ  ＰＰＤＵを受信することを特徴とする請求項１０または１１に記載の通信装置。
【請求項１３】
前記受信手段は、前記ＥＨＴ  ＭＵ  ＰＰＤＵと異なるＰＰＤＵを受信する場合、前記ＥＨＴ−ＳＩＧ−Ｂを含まないＰＰＤＵを受信することを特徴とする請求項１０から１２の何れか一項に記載の通信装置。
【請求項１４】
前記受信手段は、ＩＥＥＥ８０２．１１ＥＨＴ規格に準拠した前記ＥＨＴ  ＭＵ  ＰＰＤＵを受信することを特徴とする請求項１０から１３の何れか一項に記載の通信装置。
【請求項１５】
前記他の通信装置が帯域幅として１６０ＭＨｚの帯域幅を２つ使用する場合、Ｎ＝８となることを特徴とする請求項１０から１４の何れか一項に記載の通信装置。
【請求項１６】
前記他の通信装置が帯域幅として２０ＭＨｚの帯域幅、あるいは４０ＭＨｚの帯域幅を使用する場合、Ｎ＝１となることを特徴とする請求項１０から１５の何れか一項に記載の通信装置。
【請求項１７】
前記他の通信装置が帯域幅として８０ＭＨｚの帯域幅を使用する場合、Ｎ＝２となることを特徴とする請求項１０から１６の何れか一項に記載の通信装置。
【請求項１８】
前記他の通信装置が帯域幅として１６０ＭＨｚの帯域幅、あるいは８０ＭＨｚの帯域幅を２つ使用する場合、Ｎ＝４となることを特徴とする請求項１０から１７の何れか一項に記載の通信装置。
【請求項１９】
Ｎ＝２以上となる場合、前記ＲＵ  ａｌｌｏｃａｔｉｏｎサブフィールドは、８ビット毎に、低い周波数から奇数番目の２０ＭＨｚサブバンドのＲＵの割り当てを示すことを特徴とする請求項１から１８の何れか一項に記載の通信装置。
【請求項２０】
Ｎ＝２以上となる場合、前記ＲＵ  ａｌｌｏｃａｔｉｏｎサブフィールドは、８ビット毎に、低い周波数から偶数番目の２０ＭＨｚサブバンドのＲＵの割り当てを示すことを特徴とする請求項１から１９の何れか一項に記載の通信装置。
【請求項２１】
前記Ｌ−ＳＴＦ、前記Ｌ−ＬＴＦ、および前記Ｌ−ＳＩＧは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ａｘ規格以前のＩＥＥＥ８０２．１１シリーズ規格に対応した通信装置が復号することができるフィールドであることを特徴とする請求項１から２０の何れか一項に記載の通信装置。
【請求項２２】
情報処理装置であって、
Ｌ−ＳＴＦと、
前記Ｌ−ＳＴＦの後のＬ−ＬＴＦと、
前記Ｌ−ＬＴＦの後のＬ−ＳＩＧと、
前記Ｌ−ＳＩＧの後のＥＨＴ−ＳＩＧ−Ａと、
前記ＥＨＴ−ＳＩＧ−Ａの後のフィールドであって、
前記情報処理装置が帯域幅として３２０ＭＨｚの帯域幅を使用する場合にＮ＝８となる、Ｎ×８ビットのビット数を有するＲＵ  Ａｌｌｏｃａｔｉｏｎサブフィールドを含むＥＨＴ−ＳＩＧ−Ｂと、
前記ＥＨＴ−ＳＩＧ−Ｂの後のＥＨＴ−ＳＴＦと、
前記ＥＨＴ−ＳＴＦの後のＥＨＴ−ＬＴＦと、を含むＥＨＴ  ＭＵ  ＰＰＤＵを生成する生成手段を有することを特徴とする情報処理装置。
【請求項２３】
前記生成手段は、前記情報処理装置がＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）通信とＭＵ−ＭＩＭＯ（Ｍｕｌｔｉ  Ｕｓｅｒ  Ｍｕｌｔｉｐｌｅ−Ｉｎｐｕｔ  ａｎｄ  Ｍｕｌｔｉｐｌｅ−Ｏｕｔｐｕｔ）通信との少なくとも一つを実行する場合に、前記ＥＨＴ  ＭＵ  ＰＰＤＵを生成することを特徴とする請求項２２に記載の情報処理装置。
【請求項２４】
前記生成手段は、前記ＥＨＴ  ＭＵ  ＰＰＤＵと異なるＰＰＤＵを生成する場合、前記ＥＨＴ−ＳＩＧ−Ｂを含まないＰＰＤＵを生成することを特徴とする請求項２２または２３に記載の情報処理装置。
【請求項２５】
前記生成手段は、ＩＥＥＥ８０２．１１ＥＨＴ規格に準拠した前記ＥＨＴ  ＭＵ  ＰＰＤＵを生成することを特徴とする請求項２２から２４の何れか一項に記載の情報処理装置。
【請求項２６】
前記情報処理装置が帯域幅として１６０ＭＨｚの帯域幅を２つ使用する場合、Ｎ＝８となることを特徴とする請求項２２から２５の何れか一項に記載の情報処理装置。
【請求項２７】
前記情報処理装置が帯域幅として２０ＭＨｚの帯域幅、あるいは４０ＭＨｚの帯域幅を使用する場合、Ｎ＝１となることを特徴とする請求項２２から２６の何れか一項に記載の情報処理装置。
【請求項２８】
前記情報処理装置が帯域幅として８０ＭＨｚの帯域幅を使用する場合、Ｎ＝２となることを特徴とする請求項２２から２７の何れか一項に記載の情報処理装置。
【請求項２９】
前記情報処理装置が帯域幅として１６０ＭＨｚの帯域幅、あるいは８０ＭＨｚの帯域幅を２つ使用する場合、Ｎ＝４となることを特徴とする請求項２２から２８の何れか一項に記載の情報処理装置。
【請求項３０】
Ｎ＝２以上となる場合、前記ＲＵ  ａｌｌｏｃａｔｉｏｎサブフィールドは、８ビット毎に、低い周波数から奇数番目の２０ＭＨｚサブバンドのＲＵの割り当てを示すことを特徴とする請求項２２から２９の何れか一項に記載の情報処理装置。
【請求項３１】
Ｎ＝２以上となる場合、前記ＲＵ  ａｌｌｏｃａｔｉｏｎサブフィールドは、８ビット毎に、低い周波数から偶数番目の２０ＭＨｚサブバンドのＲＵの割り当てを示すことを特徴とする請求項２２から３０の何れか一項に記載の情報処理装置。
【請求項３２】
前記Ｌ−ＳＴＦ、前記Ｌ−ＬＴＦ、および前記Ｌ−ＳＩＧは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ａｘ規格以前のＩＥＥＥ８０２．１１シリーズ規格に対応した情報処理装置が復号することができるフィールドであることを特徴とする請求項２２から３１の何れか一項に記載の情報処理装置。
【請求項３３】
前記生成手段によって生成された前記ＥＨＴ  ＭＵ  ＰＰＤＵの送信に用いられるアンテナを更に有することを特徴とする請求項２２から３２の何れか一項に記載の情報処理装置。
【請求項３４】
通信装置の制御方法であって、
Ｌ−ＳＴＦと、
前記Ｌ−ＳＴＦの後のＬ−ＬＴＦと、
前記Ｌ−ＬＴＦの後のＬ−ＳＩＧと、
前記Ｌ−ＳＩＧの後のＥＨＴ−ＳＩＧ−Ａと、
前記ＥＨＴ−ＳＩＧ−Ａの後のフィールドであって、
前記通信装置が帯域幅として３２０ＭＨｚの帯域幅を使用する場合にＮ＝８となる、Ｎ×８ビットのビット数を有するＲＵ  Ａｌｌｏｃａｔｉｏｎサブフィールドを含むＥＨＴ−ＳＩＧ−Ｂと、
前記ＥＨＴ−ＳＩＧ−Ｂの後のＥＨＴ−ＳＴＦと、
前記ＥＨＴ−ＳＴＦの後のＥＨＴ−ＬＴＦと、を含むＥＨＴ  ＭＵ  ＰＰＤＵを送信する送信工程を有することを特徴とする制御方法。
【請求項３５】
通信装置の制御方法であって、
Ｌ−ＳＴＦと、
前記Ｌ−ＳＴＦの後のＬ−ＬＴＦと、
前記Ｌ−ＬＴＦの後のＬ−ＳＩＧと、
前記Ｌ−ＳＩＧの後のＥＨＴ−ＳＩＧ−Ａと、
前記ＥＨＴ−ＳＩＧ−Ａの後のフィールドであって、
他の通信装置が帯域幅として３２０ＭＨｚの帯域幅を使用する場合にＮ＝８となる、Ｎ×８ビットのビット数を有するＲＵ  Ａｌｌｏｃａｔｉｏｎサブフィールドを含むＥＨＴ−ＳＩＧ−Ｂと、
前記ＥＨＴ−ＳＩＧ−Ｂの後のＥＨＴ−ＳＴＦと、
前記ＥＨＴ−ＳＴＦの後のＥＨＴ−ＬＴＦと、を含むＥＨＴ  ＭＵ  ＰＰＤＵを前記他の通信装置から受信する受信工程を有することを特徴とする制御方法。
【請求項３６】
情報処理装置の制御方法であって、
Ｌ−ＳＴＦと、
前記Ｌ−ＳＴＦの後のＬ−ＬＴＦと、
前記Ｌ−ＬＴＦの後のＬ−ＳＩＧと、
前記Ｌ−ＳＩＧの後のＥＨＴ−ＳＩＧ−Ａと、
前記ＥＨＴ−ＳＩＧ−Ａの後のフィールドであって、
前記情報処理装置が帯域幅として３２０ＭＨｚの帯域幅を使用する場合にＮ＝８となる、Ｎ×８ビットのビット数を有するＲＵ  Ａｌｌｏｃａｔｉｏｎサブフィールドを含むＥＨＴ−ＳＩＧ−Ｂと、
前記ＥＨＴ−ＳＩＧ−Ｂの後のＥＨＴ−ＳＴＦと、
前記ＥＨＴ−ＳＴＦの後のＥＨＴ−ＬＴＦと、を含むＥＨＴ  ＭＵ  ＰＰＤＵを生成する生成工程を有することを特徴とする制御方法。
【請求項３７】
コンピュータを請求項１から２１の何れか一項に記載の通信装置の各手段として機能させるためのプログラム。
【請求項３８】
コンピュータを請求項２２から３３の何れか一項に記載の情報処理装置の各手段として機能させるためのプログラム。
【発明の詳細な説明】
【技術分野】
【０００１】
本発明は、無線通信によってデータを通信する装置に関する。
【背景技術】
【０００２】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）が策定している、ＷＬＡＮ通信規格としてＩＥＥＥ８０２．１１シリーズ規格が知られている。なお、ＷＬＡＮとはＷｉｒｅｌｅｓｓ  Ｌｏｃａｌ  Ａｒｅａ  Ｎｅｔｗｏｒｋの略である。ＩＥＥＥ８０２．１１シリーズ規格としては、ＩＥＥＥ８０２．１１ａ／ｂ／ｇ／ｎ／ａｃ／ａｘ規格などの規格がある。
【０００３】
特許文献１には、ＩＥＥＥ８０２．１１ａｘ規格では、ＯＦＤＭＡ（Ｏｒｔｈｏｇｏｎａｌ  ｆｒｅｑｕｅｎｃｙ−ｄｉｖｉｓｉｏｎ  ｍｕｌｔｉｐｌｅ  ａｃｃｅｓｓ）による無線通信を実行することが開示されている。ＩＥＥＥ８０２．１１ａｘ規格では、ＯＦＤＭＡによる無線通信を実行することで、高いピークスループットを実現している。また、ＩＥＥＥ８０２．１１ａｘ規格では、ＯＦＤＭＡによる無線通信を実行することで、複数の相手装置と並行して通信するマルチユーザ通信を実現している。
【０００４】
ＩＥＥＥでは、次世代のＷＬＡＮ通信規格として、ＩＥＥＥ８０２．１１ａｘ規格の後継規格である、ＩＥＥＥ８０２．１１ＥＨＴ（Ｅｘｔｒｅｍｅｌｙ  Ｈｉｇｈ  Ｔｈｒｏｕｇｈｐｕｔ）規格が検討されている。ＩＥＥＥ８０２．１１ＥＨＴ規格では、スループット向上を実現するために、電波の帯域幅を拡張することが検討されている。
【先行技術文献】
【特許文献】
【０００５】
【特許文献１】特開２０１８−５０１３３号公報
【発明の概要】
【発明が解決しようとする課題】
【０００６】
マルチユーザ通信を実行する場合、相手装置に対して、使用する周波数帯域の一部（ＲＵ、Ｒｅｓｏｕｒｃｅ  Ｕｎｉｔ）を割り当てる必要がある。しかし、ＩＥＥＥ８０２．１１ａｘ規格までは、使用できる電波の帯域幅は最大１６０ＭＨｚまでとされていたため、３２０ＭＨｚの帯域幅を使用して通信する場合に、ＲＵの割り当てに関する情報を通信することができる適切なフレーム構成が存在しなかった。
【０００７】
本発明は、３２０ＭＨｚの帯域幅を使用して通信することができる通信装置が、適切なフレーム構成によってＲＵの割り当てに関する情報を通信できるようにすることを目的とする。
【課題を解決するための手段】
【０００８】
上記目的を達成するため、本発明の通信装置は、Ｌ−ＳＴＦ（Ｌｅｇａｃｙ−Ｓｈｏｒｔ  Ｔｒａｉｎｉｎｇ  Ｆｉｅｌｄ）と、前記Ｌ−ＳＴＦの後のＬ−ＬＴＦ（Ｌｅｇａｃｙ−Ｌｏｎｇ  Ｔｒａｉｎｉｎｇ  Ｆｉｅｌｄ）と、前記Ｌ−ＬＴＦの後のＬ−ＳＩＧ（Ｌｅｇａｃｙ−Ｓｉｇｎａｌ）と、前記Ｌ−ＳＩＧの後のＥＨＴ−ＳＩＧ−Ａ（Ｅｘｔｒｅｍｅｌｙ  Ｈｉｇｈ  Ｔｈｒｏｕｇｈｐｕｔ−Ｓｉｇｎａｌ−Ａ）と、前記ＥＨＴ−ＳＩＧ−Ａの後のフィールドであって、前記通信装置が帯域幅として３２０ＭＨｚの帯域幅を使用する場合にＮ＝８となる、Ｎ×８ビットのビット数を有するＲＵ（Ｒｅｓｏｕｒｃｅ  Ｕｎｉｔ）  Ａｌｌｏｃａｔｉｏｎサブフィールドを含むＥＨＴ−ＳＩＧ−Ｂ（Ｅｘｔｒｅｍｅｌｙ  Ｈｉｇｈ  Ｔｈｒｏｕｇｈｐｕｔ−Ｓｉｇｎａｌ−Ｂ）と、前記ＥＨＴ−ＳＩＧ−Ｂの後のＥＨＴ−ＳＴＦ（Ｅｘｔｒｅｍｅｌｙ  Ｈｉｇｈ  Ｔｈｒｏｕｇｈｐｕｔ−Ｓｈｏｒｔ  Ｔｒａｉｎｉｎｇ  Ｆｉｅｌｄ）と、前記ＥＨＴ−ＳＴＦの後のＥＨＴ−ＬＴＦ（Ｅｘｔｒｅｍｅｌｙ  Ｈｉｇｈ  Ｔｈｒｏｕｇｈｐｕｔ−Ｌｏｎｇ  Ｔｒａｉｎｉｎｇ  Ｆｉｅｌｄ）と、を含むＥＨＴ  ＭＵ（Ｍｕｌｔｉ  Ｕｓｅｒ）  ＰＰＤＵ（Ｐｈｙｓｉｃａｌ  Ｌａｙｅｒ  Ｐｒｏｔｏｃｏｌ  Ｄａｔａ  Ｕｎｉｔ）を送信する送信手段を有する。
【０００９】
また、本発明の他の側面の通信装置は、Ｌ−ＳＴＦと、前記Ｌ−ＳＴＦの後のＬ−ＬＴＦと、前記Ｌ−ＬＴＦの後のＬ−ＳＩＧと、前記Ｌ−ＳＩＧの後のＥＨＴ−ＳＩＧ−Ａと、
前記ＥＨＴ−ＳＩＧ−Ａの後のフィールドであって、他の通信装置が帯域幅として３２０ＭＨｚの帯域幅を使用する場合にＮ＝８となる、Ｎ×８ビットのビット数を有するＲＵ  Ａｌｌｏｃａｔｉｏｎサブフィールドを含むＥＨＴ−ＳＩＧ−Ｂと、前記ＥＨＴ−ＳＩＧ−Ｂの後のＥＨＴ−ＳＴＦと、前記ＥＨＴ−ＳＴＦの後のＥＨＴ−ＬＴＦと、を含むＥＨＴ  ＭＵ  ＰＰＤＵを前記他の通信装置から受信する受信手段を有する。
【００１０】
また、本発明の情報処理装置は、Ｌ−ＳＴＦと、前記Ｌ−ＳＴＦの後のＬ−ＬＴＦと、前記Ｌ−ＬＴＦの後のＬ−ＳＩＧと、前記Ｌ−ＳＩＧの後のＥＨＴ−ＳＩＧ−Ａと、前記ＥＨＴ−ＳＩＧ−Ａの後のフィールドであって、前記情報処理装置が帯域幅として３２０ＭＨｚの帯域幅を使用する場合にＮ＝８となる、Ｎ×８ビットのビット数を有するＲＵ  Ａｌｌｏｃａｔｉｏｎサブフィールドを含むＥＨＴ−ＳＩＧ−Ｂと、前記ＥＨＴ−ＳＩＧ−Ｂの後のＥＨＴ−ＳＴＦと、前記ＥＨＴ−ＳＴＦの後のＥＨＴ−ＬＴＦと、を含むＥＨＴ  ＭＵ  ＰＰＤＵを生成する生成手段を有する。
【発明の効果】
【００１１】
本発明によれば、３２０ＭＨｚの帯域幅を使用して通信することができる通信装置が、適切なフレーム構成によってＲＵの割り当てに関する情報を通信できるようになる。
【図面の簡単な説明】
【００１２】
【図１】通信装置２０２が参加するネットワークの構成を示す図である。
【図２】通信装置２０２のハードウェア構成を示す図である。
【図３】通信装置２０２が通信するＥＨＴ  ＭＵ  ＰＰＤＵのＰＨＹフレームの構成の一例を示す図である。
【図４】２０ＭＨｚの帯域幅におけるＲＵの割り当てパターンとＲＵ  Ａｌｌｏｃａｔｉｏｎサブフィールドの対応の一例を示す図である。
【図５】３２０ＭＨｚの帯域幅を使用して通信する場合の、ＥＨＴ−ＳＩＧ−Ｂフィールドの構成の一例を示す図である。
【発明を実施するための形態】
【００１３】
以下、添付の図面を参照して、本発明の実施形態を詳細に説明する。なお、以下の実施形態において示す構成は一例に過ぎず、本発明は図示された構成に限定されるものではない。
【００１４】
図１に、本実施形態に係る通信装置２０２が参加するネットワークの構成を示す。通信装置２０２は、ネットワーク２０１を構築する役割を有するアクセスポイント（ＡＰ、Ａｃｃｅｓｓ  Ｐｏｉｎｔ）である。また、通信装置２０３、２０４、２０５は、夫々ネットワーク２０１に参加する役割を有するステーション（ＳＴＡ、Ｓｔａｔｉｏｎ）である。各通信装置はＩＥＥＥ８０２．１１ＥＨＴ規格に対応しており、ネットワーク２０１を介してＩＥＥＥ８０２．１１ＥＨＴ規格に準拠した無線通信を実行することができる。なお、ＩＥＥＥとは、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓの略である。また、ＥＨＴは、Ｅｘｔｒｅｍｅｌｙ  Ｈｉｇｈ  Ｔｈｒｏｕｇｈｐｕｔの略である。なお、ＥＨＴは、Ｅｘｔｒｅｍｅ  Ｈｉｇｈ  Ｔｈｒｏｕｇｈｐｕｔの略であると解釈してもよい。各通信装置は、２．４ＧＨｚ帯、５ＧＨｚ帯、および６ＧＨｚ帯の周波数帯域において通信することができる。また、各通信装置は、２０ＭＨｚ、４０ＭＨｚ、８０ＭＨｚ、１６０ＭＨｚ、および３２０ＭＨｚの帯域幅を使用して通信することができる。
【００１５】
通信装置２０２〜２０５は、ＩＥＥＥ８０２．１１ＥＨＴ規格に準拠したＯＦＤＭＡ通信を実行することで、複数のユーザの信号を多重する、マルチユーザ（ＭＵ、Ｍｕｌｔｉ  Ｕｓｅｒ）通信を実現することができる。ＯＦＤＭＡ通信とは、Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ（直交周波数分割多元接続）の略である。ＯＦＤＭＡ通信では、分割された周波数帯域の一部（ＲＵ、Ｒｅｓｏｕｒｃｅ  Ｕｎｉｔ）が各ＳＴＡに夫々重ならないように割り当てられ、各ＳＴＡの搬送波が直交する。そのため、ＡＰは複数のＳＴＡと並行して通信することができる。
【００１６】
また、通信装置２０２〜２０５はＭＵ  ＭＩＭＯ（Ｍｕｌｔｉ  Ｕｓｅｒ  Ｍｕｌｔｉｐｌｅ−Ｉｎｐｕｔ  ａｎｄ  Ｍｕｌｔｉｐｌｅ−Ｏｕｔｐｕｔ）通信によるＭＵ通信を実現することができる。この場合、通信装置２０２は複数のアンテナを有し、１以上のアンテナを通信装置２０３〜２０５の夫々に割り当てることで、複数のＳＴＡとの同時通信を実現することができる。通信装置２０２は、通信装置２０３〜２０５の夫々に対して送信する電波が干渉しないように調整することで、複数のＳＴＡに対して同時に電波を送信することができる。
【００１７】
通信装置２０２は、ＯＦＤＭＡ通信とＭＵ  ＭＩＭＯ通信を組み合わせてＭＵ通信を実現してもよい。即ち、ＡＰは複数のＳＴＡとＭＵ通信を実行する際に、ある閾値以上のＲＵにおいて、ＭＵ  ＭＩＭＯ通信を実行してもよい。例えば、複数のＳＴＡにＲＵを割り当てる場合に、サブキャリア数が１０６より小さいＲＵにおいては一台のＳＴＡと通信し、サブキャリア数が１０６以上のＲＵにおいて、複数のＳＴＡによるＭＵ  ＭＩＭＯ通信を実行するようにしてもよい。
【００１８】
このように、ＭＵ通信を実行する場合、通信装置２０３〜２０５は、各ＳＴＡに対するＲＵの割り当てに関する情報を取得する必要がある。そのため、通信装置２０２は、通信装置２０３〜２０５に、データ通信で用いるＲＵの各ＳＴＡに対する割り当てについて、ＰＨＹフレームを用いて通知する。
【００１９】
なお、通信装置２０２〜２０５は、ＩＥＥＥ８０２．１１ＥＨＴ規格に対応するとしたが、これに加えて、ＩＥＥＥ８０２．１１ＥＨＴ規格より前の規格であるレガシー規格の少なくとも何れか一つに対応していてもよい。レガシー規格とは、ＩＥＥＥ８０２．１１ａ／ｂ／ｇ／ｎ／ａｃ／ａｘ規格のことである。また、ＩＥＥＥ８０２．１１シリーズ規格に加えて、Ｂｌｕｅｔｏｏｔｈ（登録商標）、ＮＦＣ、ＵＷＢ、ＺｉｇＢｅｅ、ＭＢＯＡなどの他の通信規格に対応していてもよい。なお、ＵＷＢはＵｌｔｒａ  Ｗｉｄｅ  Ｂａｎｄの略であり、ＭＢＯＡはＭｕｌｔｉ  Ｂａｎｄ  ＯＦＤＭ  Ａｌｌｉａｎｃｅの略である。なお、ＯＦＤＭはＯｒｔｈｏｇｏｎａｌ  Ｆｒｅｑｕｅｎｃｙ  Ｄｉｖｉｓｉｏｎ  Ｍｕｌｔｉｐｌｅｘｉｎｇの略である。また、ＮＦＣはＮｅａｒ  Ｆｉｅｌｄ  Ｃｏｍｍｕｎｉｃａｔｉｏｎの略である。ＵＷＢには、ワイヤレスＵＳＢ、ワイヤレス１３９４、ＷｉＮＥＴなどが含まれる。また、有線ＬＡＮなどの有線通信の通信規格に対応していてもよい。
【００２０】
通信装置２０２の具体例としては、無線ＬＡＮルーターやＰＣなどが挙げられるが、これらに限定されない。通信装置２０２は、他の通信装置とＭＵ通信を実行することができる通信装置であれば何でもよい。また、通信装置２０２は、ＩＥＥＥ８０２．１１ＥＨＴ規格に準拠した無線通信を実行することができる無線チップなどの情報処理装置であってもよい。また、通信装置２０３〜２０５の具体的な例としては、カメラ、タブレット、スマートフォン、ＰＣ、携帯電話、ビデオカメラなどが挙げられるが、これらに限定されない。通信装置２０３〜２０５は、他の通信装置とＭＵ通信を実行することができる通信装置であればよい。また、通信装置２０３〜２０５は、ＩＥＥＥ８０２．１１ＥＨＴ規格に準拠した無線通信を実行することができる無線チップなどの情報処理装置であってもよい。また、図１のネットワークは１台のＡＰと３台のＳＴＡによって構成されるネットワークであるが、ＡＰおよびＳＴＡの台数はこれに限定されない。なお、無線チップなどの情報処理装置は、生成した信号を送信するためのアンテナを有する。
【００２１】
図２に、本実施形態における通信装置２０２のハードウェア構成を示す。通信装置２０２は、記憶部３０１、制御部３０２、機能部３０３、入力部３０４、出力部３０５、通信部３０６、およびアンテナ３０７を備える。
【００２２】
記憶部３０１はＲＯＭやＲＡＭ等のメモリにより構成され、後述する各種動作を行うためのコンピュータプログラムや、無線通信のための通信パラメータ等の各種情報を記憶する。ＲＯＭはＲｅａｄ  Ｏｎｌｙ  Ｍｅｍｏｒｙの、ＲＡＭはＲａｎｄｏｍ  Ａｃｃｅｓｓ  Ｍｅｍｏｒｙの夫々略である。なお、記憶部３０１として、ＲＯＭ、ＲＡＭ等のメモリの他に、フレキシブルディスク、ハードディスク、光ディスク、光磁気ディスク、ＣＤ−ＲＯＭ、ＣＤ−Ｒ、磁気テープ、不揮発性のメモリカード、ＤＶＤなどの記憶媒体を用いてもよい。また、記憶部３０１が複数のメモリ等を備えていてもよい。
【００２３】
制御部３０２は、例えばＣＰＵやＭＰＵ等の１以上のプロセッサにより構成され、記憶部３０１に記憶されたコンピュータプログラムを実行することにより、通信装置２０２全体を制御する。なお、制御部３０２は、記憶部３０１に記憶されたコンピュータプログラムとＯＳ（Ｏｐｅｒａｔｉｎｇ  Ｓｙｓｔｅｍ）との協働により、通信装置２０２全体を制御するようにしてもよい。また、制御部３０２は、他の通信装置との通信において送信するデータや信号を生成する。なお、ＣＰＵはＣｅｎｔｒａｌ  Ｐｒｏｃｅｓｓｉｎｇ  Ｕｎｉｔの、ＭＰＵは、Ｍｉｃｒｏ  Ｐｒｏｃｅｓｓｉｎｇ  Ｕｎｉｔの略である。また、制御部３０２がマルチコア等の複数のプロセッサを備え、複数のプロセッサにより通信装置２０２全体を制御するようにしてもよい。
【００２４】
また、制御部３０２は、機能部３０３を制御して、無線通信や、撮像、印刷、投影等の所定の処理を実行する。機能部３０３は、通信装置２０２が所定の処理を実行するためのハードウェアである。
【００２５】
入力部３０４は、ユーザからの各種操作の受付を行う。出力部３０５は、モニタ画面やスピーカーを介して、ユーザに対して各種出力を行う。ここで、出力部３０５による出力とは、モニタ画面上への表示や、スピーカーによる音声出力、振動出力などであってもよい。なお、タッチパネルのように入力部３０４と出力部３０５の両方を１つのモジュールで実現するようにしてもよい。また、入力部３０４および出力部３０５は、夫々通信装置２０２と一体であってもよいし、別体であってもよい。
【００２６】
通信部３０６は、ＩＥＥＥ８０２．１１ＥＨＴ規格に準拠した無線通信の制御を行う。また、通信部３０６は、ＩＥＥＥ８０２．１１ＥＨＴ規格に加えて、他のＩＥＥＥ８０２．１１シリーズ規格に準拠した無線通信の制御や、有線ＬＡＮ等の有線通信の制御を行ってもよい。通信部３０６は、アンテナ３０７を制御して、制御部３０２によって生成された無線通信のための信号の送受信を行う。なお、通信装置２０２が、ＩＥＥＥ８０２．１１ＥＨＴ規格に加えて、ＮＦＣ規格やＢｌｕｅｔｏｏｔｈ規格等に対応している場合、これらの通信規格に準拠した無線通信の制御を行ってもよい。また、通信装置２０２が複数の通信規格に準拠した無線通信を実行できる場合、夫々の通信規格に対応した通信部３０６とアンテナ３０７を個別に有する構成であってもよい。通信装置２０２は通信部３０６を介して、画像データや文書データ、映像データ等のデータを通信装置２０３〜２０５と通信する。なお、アンテナ３０７は、通信部３０６と別体として構成されていてもよいし、通信部３０６と合わせて一つのモジュールとして構成されていてもよい。
【００２７】
図３には、本実施形態において、通信装置２０２が通信するＥＨＴ  ＭＵ  ＰＰＤＵのＰＨＹフレームの構成の一例を示す。なお、ＰＰＤＵはＰｈｙｓｉｃａｌ  Ｌａｙｅｒ（ＰＨＹ）  Ｐｒｏｔｏｃｏｌ  Ｄａｔａ  Ｕｎｉｔの略である。
【００２８】
ＥＨＴ  ＭＵ  ＰＰＤＵとは、ＩＥＥＥ８０２．１１ＥＨＴ規格に準拠した通信装置が、ＭＵ通信を実行する際に用いるＰＰＤＵである。本フレームは、先頭部からＬ−ＳＴＦ４０１、Ｌ−ＬＴＦ４０２、Ｌ−ＳＩＧ４０３、ＲＬ−ＳＩＧ４０４、ＥＨＴ−ＳＩＧ−Ａ４０５、ＥＨＴ−ＳＩＧ−Ｂ４０６、ＥＨＴ−ＳＴＦ４０７、およびＥＨＴ−ＬＴＦ４０８によって構成される。また、ＥＨＴ−ＬＴＦ４０８の後に、データ４０９、およびＰａｃｋｅｔ  Ｅｘｔｅｎｔｉｏｎ４１０が続くように構成される。なお、ＥＨＴ  ＭＵ  ＰＰＤＵの各フィールドの並び順は、これに限らない。ＳＴＦはＳｈｏｒｔ  Ｔｒａｉｎｉｎｇ  Ｆｉｅｌｄ、ＬＴＦはＬｏｎｇ  Ｔｒａｉｎｉｎｇ  Ｆｉｅｌｄ、およびＳＩＧはＳｉｇｎａｌの略である。また、Ｌ−はＬｅｇａｃｙの略であり、例えばＬ−ＳＴＦはＬｅｇａｃｙ  Ｓｈｏｒｔ  Ｔｒａｉｎｉｎｇ  Ｆｉｅｌｄの略である。同様にＥＨＴ−はＥｘｔｒｅｍｅｌｙ  Ｈｉｇｈ  Ｔｈｒｏｕｇｈｐｕｔの略であり、例えばＥＨＴ−ＳＴＦはＥｘｔｒｅｍｅｌｙ  Ｈｉｇｈ  Ｔｈｒｏｕｇｈｐｕｔ  Ｓｈｏｒｔ  Ｔｒａｉｎｉｎｇ  Ｆｉｅｌｄの略である。また、ＲＬ−ＳＩＧは、Ｒｅｐｅａｔｅｄ  Ｌｅｇａｃｙ  Ｓｉｇｎａｌの略である。
【００２９】
Ｌ−ＳＴＦ４０１、Ｌ−ＬＴＦ４０２、およびＬ−ＳＩＧ４０３は、夫々ＩＥＥＥ８０２．１１ＥＨＴ規格より前に策定されたレガシー規格である、ＩＥＥＥ８０２．１１ａ／ｂ／ｇ／ｎ／ａｃ／ａｘ規格に対して後方互換性がある。即ち、Ｌ−ＳＴＦ４０１、Ｌ−ＬＴＦ４０２、およびＬ−ＳＩＧ４０３は、ＩＥＥＥ８０２．１１ａｘ以前のＩＥＥＥ８０２．１１シリーズ規格に対応する通信装置が復号することが可能なレガシーフィールドである。
【００３０】
Ｌ−ＳＴＦ４０１は、無線パケット信号の検出、自動利得制御（ＡＧＣ、Ａｕｔｏｍａｔｉｃ  Ｇａｉｎ  Ｃｏｎｔｒｏｌ）やタイミング検出などに用いられる。Ｌ−ＬＴＦ４０２は高精度周波数・時刻同期化や伝搬チャンネル情報（ＣＳＩ、Ｃｈａｎｎｎｅｌ  Ｓｔａｔｅ  Ｉｎｆｏｒｍａｔｉｏｎ）取得などに用いられる。Ｌ−ＳＩＧ４０３は、データ送信率やパケット長の情報を含んだ制御情報を送信するために用いられる。なお、ＲＬ−ＳＩＧ４０４は省略してもよい。
【００３１】
ＥＨＴ−ＳＩＧ−Ａ４０５、ＥＨＴ−ＳＩＧ−Ｂ４０６、ＥＨＴ−ＳＴＦ４０７、およびＥＨＴ−ＬＴＦ４０８は、ＩＥＥＥ８０２．１１ＥＨＴ規格に対応した通信装置が復号することが可能なフィールドである。
【００３２】
なお、Ｌ−ＳＴＦ４０１、Ｌ−ＬＴＦ４０２、Ｌ−ＳＩＧ４０３、ＲＬ−ＳＩＧ４０４、ＥＨＴ−ＳＩＧ−Ａ４０５、ＥＨＴ−ＳＩＧ−Ｂ４０６、ＥＨＴ−ＳＴＦ４０７およびＥＨＴ−ＬＴＦ４０８をまとめてＰＨＹプリアンブルとする。
【００３３】
ＥＨＴ−ＳＩＧ−Ｂ４０６は、コモンフィールド（ｃｏｍｍｏｎ  ｆｉｅｌｄ）とユーザーフィールド（ｕｓｅｒ  ｆｉｅｌｄ）の２つのフィールドから構成される。
【００３４】
コモンフィールドは、以下の表１に示したサブフィールドから構成される。
【００３５】
【表１】
2020141327.tif 000003
【００３６】
ＲＵ  Ａｌｌｏｃａｔｉｏｎサブフィールドは、Ｎ×８ビットから成るフィールドであり、ＲＵの割り当てに関する情報を示すフィールドである。例えば、帯域幅として２０ＭＨｚの帯域幅を使用する際のＲＵの割り当てを示す場合、ＲＵ  Ａｌｌｏｃａｔｉｏｎサブフィールドは８ビット（Ｎ＝１）で構成され、２０ＭＨｚの帯域幅におけるＲＵの割り当てを示す。ＩＥＥＥ８０２．１１ＥＨｔ規格では、帯域幅として最大３２０ＭＨｚまで使用することができるため、ＲＵ  Ａｌｌｏｃａｔｉｏｎサブフィールドでは、最大で３２０ＭＨｚの帯域幅を使用する際のＲＵの割り当てを示すことになる。なお、Ｎは使用する帯域幅によって定まる値であり、データ通信に用いる帯域幅に応じて、Ｎ＝１、２、４、８の何れかの値が入ることになる。Ｎと各帯域幅（２０ＭＨｚ、４０ＭＨｚ、８０ＭＨｚ、１６０ＭＨｚ、および３２０ＭＨｚ）との対応は、表１に示した通りである。なお、８０＋８０ＭＨｚの場合とは、８０ＭＨｚの帯域幅を２つ使用する場合のことである。また、１６０＋１６０ＭＨｚの場合とは、１６０ＭＨｚの帯域幅を２つ使用する場合のことである。
【００３７】
図４には、２０ＭＨｚの帯域幅におけるＲＵの割り当てパターンとＲＵ  Ａｌｌｏｃａｔｉｏｎサブフィールドの対応の一例を示す。ＲＵを構成するサブキャリアの最小数は２６であり、２０ＭＨｚの帯域幅においては、例えば９つの２６サブキャリアからなるＲＵに分割できる。図４に示したように、ＲＵ  Ａｌｌｏｃａｔｉｏｎのビット列が００００００００の場合、２０ＭＨｚの帯域幅を１ＲＵあたり２６サブキャリアとなる９つのＲＵに分割して割り当てることを示す。また、ＲＵ  Ａｌｌｏｃａｔｉｏｎのビット列が０００００００１の場合、２０ＭＨｚの帯域幅を１ＲＵあたり２６サブキャリアとなる７つのＲＵと、１ＲＵあたり５２サブキャリアとなる１つのＲＵに分割して割り当てることを示す。
【００３８】
なお、サブキャリアが１０６以上となるＲＵはＭＵ  ＭＩＭＯ通信に対応している。そのため、サブキャリアが１０６以上となるＲＵを含む割り当てについては、ＲＵ  Ａｌｌｏｃａｔｉｏｎのビット列によって、サブキャリアが１０６以上となるＲＵで多重化されているＳＴＡの数を示す。例えばｙ２ｙ１ｙ０と記載がある場合について、ｙ０、ｙ１、ｙ２はそれぞれ０もしくは１であり、２＾２×ｙ２＋２＾１×ｙ１＋ｙ０＋１台のＳＴＡが、サブキャリアが１０６以上となるＲＵにおいて多重化されていることを示す。
【００３９】
図２のネットワーク２０１において、２０ＭＨｚの帯域幅を使用している場合、通信装置２０３〜２０５は通信装置２０２から受信したＥＨＴ  ＭＵ  ＰＰＤＵに含まれるＥＨＴ−ＳＩＧ−Ｂ４０６内のコモンフィールドを復号する。この場合に、使用している帯域幅が２０ＭＨｚなので、コモンフィールド内のＲＵ  Ａｌｌｏｃａｔｉｏｎサブフィールドはビット数８ビットで構成される。通信装置２０３〜２０５は、ＲＵ  Ａｌｌｏｃａｔｉｏｎサブフィールドによって示されたＲＵの割り当てに従って、通信装置２０２と通信する。
【００４０】
図５に、３２０ＭＨｚの帯域幅を使用して通信する場合のＥＨＴ−ＳＩＧ−Ｂフィールドの構成の一例を示す。ＲＵ  ａｌｌｏｃａｔｉｏｎサブフィールドは、８ビット当たりサブキャリア数が２４２のＲＵの割り当てを示す。また、２０ＭＨｚサブバンドは、サブキャリア数が２４２のＲＵに相当する。つまり、ＲＵ  Ａｌｌｏｃａｔｉｏｎサブフィールドは、８ビットあたり２０ＭＨｚ分のサブバンドにおけるＲＵの割り当てを示す。
【００４１】
３２０ＭＨｚの帯域幅を使用して通信する場合、通信装置２０２は、帯域を２０ＭＨｚサブバンド毎に分割し、サブバンド毎にＲＵの割り当てを行う。なお、３２０ＭＨｚの帯域幅は、１６個の２０ＭＨｚサブバンドに分割できるが、ＥＨＴ−ＳＩＧ−Ｂフィールドに全てのサブバンドのＲＵ  Ａｌｌｏｃａｔｉｏｎを含めるわけではない。図５に示したように、通信装置２０２は、低い周波数から順に、奇数番目のサブバンドのＲＵの割り当ての情報を持つＥＨＴ−ＳＩＧ−Ｂフィールドと、偶数番目のサブバンドのＲＵの割り当ての情報を持つＥＨＴ−ＳＩＧ−Ｂフィールドを夫々生成し、送信する。つまり、通信装置２０２は、８ビット毎に、１番目、３番目、５番目、７番目、９番目、１１番目、１３番目、および１５番目の２０ＭＨｚサブバンドのＲＵの割り当てを示すＥＨＴ−ＳＩＧ−Ｂフィールドを通信することになる。また、奇数番目の２０ＭＨｚサブバンドのＲＵの割り当てを示すＥＨＴ−ＳＩＧ−Ｂフィールドとは別に、偶数番目の２０ＭＨｚサブバンドのＲＵの割り当てを示すＥＨＴ−ＳＩＧ−Ｂフィールドを通信する。この場合、ＲＵ  ａｌｌｏｃａｔｉｏｎサブフィールドは、１つのサブバンドあたり８ビットによってＲＵの割り当てを示すことから、８つのサブバンドのＲＵの割り当てを示すには、６４ビットが必要になる。このように、通信装置２０２は、３２０ＭＨｚの帯域幅を使用して通信する場合、３２ビットのＲＵ  ａｌｌｏｃａｔｉｏｎサブフィールドを含むＥＨＴ−ＳＩＧ−Ｂフィールドを、通信装置２０３〜２０５と通信する。
【００４２】
同様に、Ｎ＝２以上となる帯域幅を使用する場合、奇数番目のサブバンドのＲＵの割り当ての情報を持つＥＨＴ−ＳＩＧ−Ｂフィールドと、偶数番目のサブバンドのＲＵの割り当ての情報を持つＥＨＴ−ＳＩＧ−Ｂフィールドを夫々生成し、送信する。なお、Ｎ＝２以上となる帯域幅とは、８０ＭＨｚの帯域幅、１６０ＭＨｚの帯域幅、および２つの１６０ＭＨｚの帯域幅の何れかである。
【００４３】
このように通信装置２０２は、ＲＵ  Ａｌｌｏｃａｔｉｏｎサブフィールドを含むＥＨＴ  ＭＵ  ＰＰＤＵを生成し、送信することで、通信装置２０３〜２０５にＲＵの割り当てに関する情報を通知することができる。
【００４４】
また、通信装置２０３〜２０５は、ＲＵ  ａｌｌｏｃａｔｉｏｎサブフィールドを含むＥＨＴ  ＭＵ  ＰＰＤＵを受信することで、ＲＵの割り当てに関する情報を取得することができる。
【００４５】
なお、ＥＨＴ−ＳＩＧ−Ｂは、ＥＨＴ  ＭＵ  ＰＰＤＵに含まれるフィールドであって、それ以外のＰＰＤＵには含まれない。具体的には、ＥＨＴ−ＳＩＧ−Ｂは、シングルユーザ通信（ＡＰと単一のＳＴＡ間での通信）を実行する際に通信されるＥＨＴ  ＳＵ（Ｓｉｎｇｌｅ  Ｕｓｅｒ）  ＰＰＤＵには含まれない。また、ＥＨＴ−ＳＩＧ−Ｂは、通信距離を拡張したシングルユーザ通信を実行する際に通信されるＥＨＴ  ＥＲ（Ｅｘｔｅｎｄｅｄ  Ｒａｎｇｅ）  ＳＵ  ＰＰＤＵにも含まれない。また、ＥＨＴ−ＳＩＧ−Ｂは、ＡＰからトリガーフレームを受信したＳＴＡが応答として送信するＥＨＴ  ＴＢ（Ｔｒｉｇｇｅｒ−Ｂａｓｅｄ）  ＰＰＤＵにも含まれない。
【００４６】
なお、本実施形態で示したＲＵ  Ａｌｌｏｃａｔｉｏｎサブフィールドのビット列が示すＲＵの割り当て方は一例にすぎない。ＲＵ  Ａｌｌｏｃａｔｉｏｎサブフィールドのビット列が示すＲＵの割り当て方は本実施形態と異なるものであっても良い。
【００４７】
また、本実施形態において、通信装置２０２はネットワーク内のＡＰであるとしたが、ＳＴＡとして動作する装置であってもよい。また、通信装置２０２は、ＥＨＴ  ＭＵ  ＰＰＤＵを送信する装置であるとしたが、受信する装置であってもよい。この場合に、通信装置２０２は、受信したＥＨＴ  ＭＵ  ＰＰＤＵのＥＨＴ−ＳＩＧ−Ｂに含まれるＲＵ  ａｌｌｏｃａｔｉｏｎサブフィールドが示すＲＵでフレーム送信元の装置とデータ通信を実行する。
【００４８】
本実施形態において、ＥＨＴ  ＭＵ  ＰＰＤＵのＰＨＹフレームは、ＩＥＥＥ８０２．１１ａｘ規格以前のＩＥＥＥ８０２．１１シリーズ規格に対応する通信装置が復号することができるレガシーフィールドを含むとしたが、これに限らない。具体的には、ＥＨＴ  ＭＵ  ＰＰＤＵのＰＨＹフレームは、Ｌ−ＳＴＦ、Ｌ−ＬＴＦ、Ｌ−ＳＩＧ、ＲＬ−ＳＩＧを含まないように構成されてもよい。この場合、ＥＨＴ  ＴＢ  ＰＰＤＵのＰＨＹフレームは、先頭部から、ＥＨＴ−ＳＴＦ，ＥＨＴ−ＬＴＦ，ＥＨＴ−ＳＩＧ−Ａ，  ＥＨＴ−ＳＩＧ−Ｂ、ＥＨＴ−ＬＴＦ、データフィールド、およびＰａｃｋｅｔ  Ｅｘｔｅｎｔｉｏｎによって構成されてもよい。なお、ＥＨＴ−ＳＩＧ−Ｂフィールドに続くＥＨＴ−ＬＴＦは省略してもよい。例えば６ＧＨｚ帯で通信する場合、ＩＥＥＥ８０２．１１ａｘ規格以前の規格のみに対応する通信装置は信号を受信しないため、レガシーフィールドを含まないＥＨＴ  ＭＵ  ＰＰＤＵを用いて通信してもよい。
【００４９】
また、本実施形態で用いた各フィールドの名前や、ビットの位置、ビット数は本実施形態で記載したものに限らず、同様の情報が、異なるフィールド名や異なる位置、ビット数でＰＨＹフレームに格納されても良い。
【００５０】
以上、実施形態を詳述したが、本発明は例えば、システム、装置、方法、プログラム若しくは記録媒体（記憶媒体）などとしての実施態様をとることが可能である。具体的には、複数の機器（例えば、ホストコンピュータ、インタフェース機器、撮像装置、ｗｅｂアプリケーションなど）から構成されるシステムに適用してもよいし、また、一つの機器からなる装置に適用してもよい。
【００５１】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００５２】
３０１  記憶部
３０２  制御部
３０３  機能部
３０４  入力部
３０５  出力部
３０６  通信部
３０７  アンテナ
【図１】
2020141327.tif 000004
【図２】
2020141327.tif 000005
【図３】
2020141327.tif 000006
【図４】
2020141327.tif 000007
【図５】
2020141327.tif 000008